(57)【特許請求の範囲】
【請求項１】
左右方向に交互に連接されており、組立状態で四角筒状部を形成する一対の長さ面パネル及び一対の幅面パネルと、
上記一対の長さ面パネルの下縁から延出する一対の底外フラップと、
上記一対の幅面パネルの下縁から延出する一対の底内フラップと
を備え、箱体に組み立てられる箱用シートであって、
上記一対の底外フラップに、連接方向一方側の基端側の角部から幅方向の内側に傾斜して先端縁に延びる谷折り線が設けられており、
上記一対の底外フラップの上記谷折り線よりも連接方向他方側の先端縁に切欠縁が設けられており、
上記切欠縁が、上記底外フラップの先端側から基端側に向けて上記連接方向一方側に傾斜して延びる第１部分と、この第１部分の先端に連続して設けられ、上記連接方向他方側に延びる第２部分とによって画定されるＶ字状の切込みを有しており、
上記第２部分が上記連接方向他方側に向けて上記長さ面パネル側に傾斜しており、
上記切欠縁が、上記第２部分に連続して設けられ、上記底外フラップの側縁に至る凸部を有しており、
上記四角筒状部を平面視平行四辺形状に配置し、上記一対の底内フラップを上記四角筒状部の内面側に折り曲げ、かつ上記一対の底外フラップを、上記谷折り線を谷折りに折り曲げて上記一対の底内フラップの外面に折り重ねた状態から、上記四角筒状部を平面視矩形状に変形することで、上記一対の底外フラップの上記切込み同士が咬合し、箱体の底部が組み立てられる箱用シート。
【請求項２】
上記長さ面パネルの下縁に対する上記第１部分の角度が１０°以上６０°以下である請求項１に記載の箱用シート。
【請求項３】
上記底外フラップ及び上記底内フラップが、互いに接着される接着予定部を有しない請求項１又は請求項２に記載の箱用シート。
【発明の詳細な説明】
【技術分野】
【０００１】
本発明は、箱用シートに関する。
【背景技術】
【０００２】
段ボールシート等から構成される箱用シートを組み立ててなる箱体が物品の梱包容器として広く用いられている。この箱体としては、無端状に接続されて平板状に折り畳まれた側面パネルを平面視矩形状に広げることで、底フラップが自動的に組み合わされて底部が組み立てられるワンタッチ式のものが利用されている。
【０００３】
ワンタッチ式の箱体に組み立てられる箱用シートは、一対の第１側面パネルの下縁から延出する一対の第１フラップと、一対の第２側面パネルの下縁から延出する一対の第２フラップとを有している。また、各第１フラップの幅方向の一端側には、基端側の角部から先端縁に亘って谷折り線が延びている。各第１フラップには、谷折り線によって画定される三角形状の糊片が設けられている（特許文献１参照）。
【先行技術文献】
【特許文献】
【０００４】
【特許文献１】特開２０１９−１８２４８８号公報
【発明の概要】
【発明が解決しようとする課題】
【０００５】
特許文献１に記載されている箱用シートは、一対の第１フラップの先端縁に互いに咬合される凹み（ロック部）が設けられている。このロック部は、谷折り線の先端から連続して第１フラップの幅方向内側に延びる第１直線部と、この第１直線部の先端から第１直線部と垂直に延びる第２直線部とを有している。この箱用シートは、ロック部同士が互いに咬合することで、底部の意図しない開放を防いでいる。
【０００６】
しかしながら、この従来のワンタッチ式の箱体を組み立てるにあたっては、予め第１フラップの糊片と第２フラップとを接着しておくことを要する。そのため、この箱体は、シート体から箱体への組み立て容易化の点でさらなる改良の余地がある。
【０００７】
本発明は、このような事情に鑑みてなされたものであり、箱体の底部の組み立て容易化を図ることが可能な箱用シートを提供することを目的とする。
【課題を解決するための手段】
【０００８】
本発明の一態様に係る箱用シートは、左右方向に交互に連接されており、組立状態で四角筒状部を形成する一対の長さ面パネル及び一対の幅面パネルと、上記一対の長さ面パネルの下縁から延出する一対の底外フラップと、上記一対の幅面パネルの下縁から延出する一対の底内フラップとを備え、箱体に組み立てられる箱用シートであって、上記一対の底外フラップに、連接方向一方側の基端側の角部から幅方向の内側に傾斜して先端縁に延びる谷折り線が設けられており、上記一対の底外フラップの上記谷折り線よりも連接方向他方側の先端縁に切欠縁が設けられており、上記切欠縁が、上記底外フラップの先端側から基端側に向けて上記連接方向一方側に傾斜して延びる第１部分と、この第１部分の先端に連続して設けられ、上記連接方向他方側に延びる第２部分とによって画定されるＶ字状の切込みを有しており、上記四角筒状部を平面視平行四辺形状に配置し、上記一対の底内フラップを上記四角筒状部の内面側に折り曲げ、かつ上記一対の底外フラップを、上記谷折り線を谷折りに折り曲げて上記一対の底内フラップの外面に折り重ねた状態から、上記四角筒状部を平面視矩形状に変形することで、上記一対の底外フラップの上記切込み同士が咬合し、箱体の底部が組み立てられる。
【発明の効果】
【０００９】
本発明の一態様に係る箱用シートは、箱体の底部を容易に組み立てることができる。
【図面の簡単な説明】
【００１０】
【図１】図１は、本発明の一実施形態に係る箱用シートを示す模式的平面図である。
【図２】図２は、図１の箱用シートを組み立ててなる箱体を示す模式的斜視図である。
【図３】図３は、図２の箱体の模式的底面図である。
【図４】図４は、図２の箱体の蓋部を開放した状態における模式的平面図である。
【図５】図５は、図２の箱体の底部を組み立てる手順を示す模式的底面図である。
【図６】図６は、図２の箱体の底部を組み立てる図５の次の手順を示す模式的底面図である。
【図７】図７は、図２の箱体の底部を組み立てる図６の次の手順を示す模式的底面図である。
【図８】図８は、図１の箱用シートとは異なる形態に係る箱用シートを示す模式的平面図である。
【発明を実施するための形態】
【００１１】
［本発明の実施形態の説明］
最初に本発明の実施態様を列記して説明する。
【００１２】
本発明の一態様に係る箱用シートは、左右方向に交互に連接されており、組立状態で四角筒状部を形成する一対の長さ面パネル及び一対の幅面パネルと、上記一対の長さ面パネルの下縁から延出する一対の底外フラップと、上記一対の幅面パネルの下縁から延出する一対の底内フラップとを備え、箱体に組み立てられる箱用シートであって、上記一対の底外フラップに、連接方向一方側の基端側の角部から幅方向の内側に傾斜して先端縁に延びる谷折り線が設けられており、上記一対の底外フラップの上記谷折り線よりも連接方向他方側の先端縁に切欠縁が設けられており、上記切欠縁が、上記底外フラップの先端側から基端側に向けて上記連接方向一方側に傾斜して延びる第１部分と、この第１部分の先端に連続して設けられ、上記連接方向他方側に延びる第２部分とによって画定されるＶ字状の切込みを有しており、上記四角筒状部を平面視平行四辺形状に配置し、上記一対の底内フラップを上記四角筒状部の内面側に折り曲げ、かつ上記一対の底外フラップを、上記谷折り線を谷折りに折り曲げて上記一対の底内フラップの外面に折り重ねた状態から、上記四角筒状部を平面視矩形状に変形することで、上記一対の底外フラップの上記切込み同士が咬合し、箱体の底部が組み立てられる。
【００１３】
当該箱用シートは、上記切欠縁が、上記底外フラップの先端側から基端側に向けて上記連接方向一方側に傾斜して延びる第１部分と、この第１部分の先端に連続して設けられ、上記連接方向他方側に延びる第２部分とによって画定されるＶ字状の切込みを有しており、一対の底外フラップに設けられている上記切込み同士を咬合させることで、箱体の底部を組み立てることができる。より詳しくは、当該箱用シートは、上記四角筒状部を平面視平行四辺形状に配置し、上記一対の底内フラップを上記四角筒状部の内面側に折り曲げ、かつ上記一対の底外フラップを、上記谷折り線を谷折りに折り曲げて上記一対の底内フラップの外面に折り重ねた状態から、上記一対の長さ面パネル同士を正対する方向にスライドさせることで、上記一対の切込み同士を咬合させることができる。その結果、当該箱用シートは、上記一対の底外フラップが上記一対の底内フラップの外面側に折り重ねられてなる箱体の底部を容易に組み立てることができる。
【００１４】
上記長さ面パネルの下縁に対する上記第１部分の角度としては１０°以上６０°以下が好ましい。このように、上記長さ面パネルの下縁に対する上記第１部分の角度が上記範囲内であることによって、平面視平行四辺形状に配置された四角筒状部を上記一対の長さ面パネル同士が正対するように変形させることで、上記一対の切込み同士を容易かつ確実に咬合させることができる。
【００１５】
上記第２部分が上記連接方向他方側に向けて上記長さ面パネル側に傾斜しているとよい。このように、上記第２部分が上記連接方向他方側に向けて上記長さ面パネル側に傾斜していることによって、平面視平行四辺形状に配置された四角筒状部を上記一対の長さ面パネル同士が正対するように変形させることで、上記一対の切込み同士を容易かつ確実に咬合させることができる。
【００１６】
上記切欠縁が、上記第２部分に連続して設けられ、上記底外フラップの側縁に至る凸部を有するとよい。このように、上記切欠縁が、上記第２部分に連続して設けられ、上記底外フラップの側縁に至る凸部を有することによって、上記凸部が設けられている底外フラップの切込みに、他方の底外フラップに設けられている切込みを誘導しやすい。その結果、上記一対の切込み同士をより容易に咬合させることができる。
【００１７】
上記底外フラップ及び上記底内フラップが、互いに接着される接着予定部を有しないとよい。当該箱用シートは、上記底外フラップと上記底内フラップとを接着しなくても、箱体の底部を容易に組み立てることができる。
【００１８】
なお、本発明において、「左右方向」とは、箱用シートを組み立ててなる箱体において想定される一般的な使用態様における水平方向をいう。また、「下」とは、箱用シートを組み立ててなる箱体において想定される一般的な使用態様における下を意味する。「内」とは、箱用シートを組み立ててなる箱体における内を意味し、「外」とは、箱用シートを組み立ててなる箱体における外を意味する。「連接方向」とは、一対の長さ面パネル及び一対の幅面パネルが連接されている方向を意味する。
【００１９】
以下、適宜図面を参照しつつ、本発明の実施の形態を詳説する。
【００２０】
［箱用シート］
図１の箱用シート１０は、左右方向に交互に連接されており、組立状態で四角筒状部を形成する一対の長さ面パネル１及び一対の幅面パネル２と、一対の長さ面パネル１の下縁１ａから延出する一対の底外フラップ３と、一対の幅面パネル２の下縁から延出する一対の底内フラップ４とを備える。また、当該箱用シート１０は、一対の長さ面パネル１の上縁から延出する一対の蓋外フラップ５と、一対の幅面パネル２の上縁から延出する一対の蓋内フラップ６と、一対の長さ面パネル１のうち、左右方向外側（図１では左側）に位置する長さ面パネル１の外側の側縁から延出する継代７とを備える。なお、本発明において、「上」とは、箱用シートを組み立ててなる箱体において想定される一般的な使用態様における上を意味する。また、図１において、太い実線はシートを切断して形成される切断線を示し、細い実線はシートの片面を筋押しして形成される罫線を示す。
【００２１】
当該箱用シート１０は、１枚のシートから構成される。当該箱用シート１０は、箱体に組み立て可能であり、具体的には図２の箱体２０に組み立てられる。当該箱用シート１０を箱体２０に組み立てる手順について説明する。まず、左右方向外側（図１では左側）に位置する長さ面パネル１をこの長さ面パネル１に連接される幅面パネル２の内面に折り重ね、左右方向外側（図１では右側）に位置する幅面パネル２をこの幅面パネル２に連接される長さ面パネル１の内面に折り重ね、継代７を折り重ねられた幅面パネル２の内面に貼着する。これにより、一対の長さ面パネル１と一対の幅面パネル２とが無端状に接続され、四角筒状部２１が組み立てられる。次に、一対の底内フラップ４をそれぞれ幅面パネル２の内面側に折り曲げ、さらに一対の底外フラップ３をそれぞれ底内フラップ４の外面に折り重ねると共に、一対の底外フラップ３同士を係合することで底部２２を組み立てる。続いて、一対の蓋内フラップ６を内側に折り曲げ、さらに一対の蓋外フラップ５を内側に折り曲げて先端縁同士を突き合わせる。そして、一対の蓋外フラップ５の先端縁同士の合わせ目に封函テープ１００を貼着することで箱体２０の蓋部を組み立てる。これにより、図２の箱体２０が組み立てられる。なお、箱体２０の底部２２の組み立て手順の詳細については後述する。
【００２２】
当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（長さ面パネル）
長さ面パネル１は略矩形状である。また、一対の長さ面パネル１同士は、略同一形状である。長さ面パネル１の左右方向長さは、幅面パネル２の左右方向長さ以上とすることができる。長さ面パネル１の左右方向長さは、箱体２０に収容する物品の大きさ等に基づいて設定可能であるが、例えば１０ｃｍ以上５０ｃｍ以下とすることができる。長さ面パネル１の上下方向長さは、箱体２０に収容する物品の大きさ等に基づいて設定可能であるが、例えば５ｃｍ以上３０ｃｍ以下とすることができる。
【００２４】
（幅面パネル）
幅面パネル２は略矩形状である。また、一対の幅面パネル２同士は、略同一形状である。幅面パネル２の左右方向長さは、箱体２０に収容する物品の大きさ等に基づいて設定可能であるが、例えば５ｃｍ以上３０ｃｍ以下とすることができる。幅面パネル２の上下方向長さは、長さ面パネル１の上下方向長さと同じとすることができる。
【００２５】
（底外フラップ）
底外フラップ３は、長さ面パネル１の下縁１ａの略全領域から延出している。つまり、底外フラップ３の幅は、長さ面パネル１の左右方向長さと略等しい。一対の底外フラップ３同士は、略同一形状である。
【００２６】
一対の底外フラップ３には、連接方向一方側（図１のＸ側）の基端側の角部から幅方向の内側に傾斜して先端縁に延びる谷折り線３ａが設けられている。谷折り線３ａは、箱体２０の内側に凸になるように折り曲げられる折り曲げ容易線である。谷折り線３ａは直線状である。谷折り線３ａは、例えばシートの内面を筋押しして形成される罫線とスリットとが交互に連続して配置されたリード罫線とすることができる。長さ面パネル１の下縁１ａに対する谷折り線３ａの角度αとしては、例えば４０°以上６０°以下とすることができる。
【００２７】
一対の底外フラップ３の谷折り線３ａよりも連接方向他方側（図１のＹ側）の先端縁には、切欠縁３ｂが設けられている。切欠縁３ｂは、底外フラップ３の先端側から基端側に向けて連接方向一方側（図１のＸ側）に傾斜して延びる第１部分１１と、第１部分１１の先端に連続して設けられ、連接方向他方側（図１のＹ側）に延びる第２部分１２とによって画定されるＶ字状の切込み１３を有する。また、切欠縁３ｂは、第２部分１２に連続して設けられ、底外フラップ３の側縁（連接方向他方側の側縁）に至る凸部１４を有する。
【００２８】
後述するように、一対の底外フラップ３に設けられている切込み１３同士は、四角筒状部２１が平面視平行四辺形状に配置された状態から、一対の長さ面パネル１同士を互いに正対するように連接方向他方側にスライドさせることで咬合される。そのため、切込み１３は、谷折り線３ａが配置されている側の反対側に向けて開放されている。
【００２９】
第１部分１１は、例えば直線状である。長さ面パネル１の下縁１ａに対する第１部分１１の角度βの下限としては、１０°が好ましく、３０°がより好ましい。一方、上記角度βの上限としては、６０°が好ましく、５０°がより好ましい。上記角度βが上記下限に満たないと、一対の底外フラップ３に設けられている切込み１３同士を咬合するのが容易でなくなるおそれがある。逆に、上記角度βが上記上限を超えると、切込み１３同士の咬合状態を維持し難くなるおそれがある。なお、第１部分１１は湾曲した構成とすることもできる。この場合、上記角度βは、長さ面パネル１の下縁１ａに対する第１部分１１の角度の最小値と最大値との平均値によって求めることができる。
【００３０】
第２部分１２は、連接方向他方側（図１のＹ側）に向けて長さ面パネル１側に傾斜していることが好ましい。この構成によると、切込み１３を谷折り線３ａが配置されている側の反対側に向けて開放しつつ、この切込み１３の開放角度を大きくすることができる。その結果、平面視平行四辺形状に配置された四角筒状部２１を一対の長さ面パネル１同士が正対するように変形させることで、一対の切込み１３同士を容易かつ確実に咬合させることができる。
【００３１】
凸部１４は、底外フラップ３の先端側に向けて突出している。凸部１４は、箱体２０の底部２２を組み立てる際に、他方の底外フラップ３の外面側を覆うことで、他方の底外フラップ３の浮き上がり（シート材の反力に起因する浮き上がり）を抑制する。当該箱用シート１０は、切欠縁３ｂに凸部１４が形成されていることで、凸部１４が設けられている底外フラップ３の切込み１３に、他方の底外フラップ３に設けられている切込み１３を誘導しやすい。その結果、一対の切込み１３同士をより容易に咬合させることができる。
【００３２】
（底内フラップ）
底内フラップ４は、幅面パネル２の下縁の略全領域から延出している。一対の底内フラップ４同士は、略同一形状である。底内フラップ４は、連接方向他方側（図１のＹ側）の側縁４ａが基端側から先端側に向けて幅方向内側に傾斜している。これにより、底内フラップ４は、四角筒状部２１を平面視平行四辺形状から矩形状に変形した際に、側縁４ａと四角筒状部２１の内面とが干渉しないように設けられている。側縁４ａは、例えば直線状である。
【００３３】
底外フラップ３及び底内フラップ４は、互いに接着される接着予定部を有していない。つまり、当該箱用シート１０は、従来のワンタッチ式の箱体のように底外フラップ３と底内フラップ４とを予め接着しておくものとは相違する。当該箱用シート１０は、底外フラップ３と底内フラップ４とを接着することなく、箱体２０の底部２２を容易に組み立てることができる。
【００３４】
＜底部の組み立て手順＞
図３から図７を参照して箱体２０の底部２２の組み立て手順の詳細について説明する。当該箱用シート１０は、一対の底外フラップ３に設けられている切込み１３同士を咬合させることで、図３及び図４に示す底部２２を組み立てることができる。図３及び図４の底部２２は、一対の底内フラップ４の外面側に一対の底外フラップ３が配置されている。すなわち、一対の底内フラップ４は箱体２０の外面側には露出していない。また、この底部２２において、底外フラップ３と底内フラップ４とは接続されていない。
【００３５】
当該箱用シート１０は、図５に示すように、四角筒状部２１を平面視平行四辺形状に配置し、一対の底内フラップ４を四角筒状部２１の内面側に折り曲げ、かつ図６に示すように、一対の底外フラップ３を、谷折り線３ａが内側に突出するように折り曲げて一対の底内フラップ４の外面に折り重ねた状態から、図７に示すように、四角筒状部２１を平面視矩形状に変形することで、一対の底外フラップ３の切込み１３同士が咬合し、箱体２０の底部２２を組み立てることができる。より詳しくは、当該箱用シート１０は、一対の底外フラップ３を谷折り線３ａで谷折りに折り曲げ、一対の長さ面パネル１をそれぞれ連接方向他方側（図７のＹ側）にスライドさせて、一対の底外フラップ３に設けられている切込み１３同士を咬合させることで箱体２０の底部２２を組み立てることができる。この際、シート材の反力によって一対の底内フラップ４が一対の底外フラップ３を外側に押圧すると共に、底外フラップ３に設けられている凸部１４が、他方の底外フラップ３の外面側を覆うことで、切込み１３同士を互いに咬合されるように容易に誘導することができる。
【００３６】
（蓋外フラップ）
蓋外フラップ５は略矩形状である。また、一対の蓋外フラップ５同士は、略同一形状である。蓋外フラップ５の幅は、長さ面パネル１の左右方向長さと略等しい。蓋外フラップ５の延出方向長さは、幅面パネル２の左右方向長さの略１／２である。
【００３７】
（蓋内フラップ）
蓋内フラップ６は略矩形状である。また、一対の蓋内フラップ６同士は、略同一形状である。蓋内フラップ６の幅は、幅面パネル２の左右方向長さと略等しい。蓋内フラップ６の延出方向長さは、蓋外フラップ５の延出方向長さと同じとすることができる。
【００３８】
＜利点＞
当該箱用シート１０は、切欠縁３ｂが、底外フラップ３の先端側から基端側に向けて連接方向一方側に傾斜して延びる第１部分１１と、この第１部分１１の先端に連続して設けられ、連接方向他方側に延びる第２部分１２とによって画定されるＶ字状の切込み１３を有しており、一対の底外フラップ３に設けられている切込み１３同士を咬合させることで、箱体２０の底部２２を組み立てることができる。より詳しくは、当該箱用シート１０は、四角筒状部２１を平面視平行四辺形状に配置し、一対の底内フラップ４を四角筒状部２１の内面側に折り曲げ、かつ一対の底外フラップ３を、谷折り線３ａを谷折りに折り曲げて一対の底内フラップ４の外面に折り重ねた状態から、一対の長さ面パネル１同士を正対する方向にスライドさせることで、一対の切込み１３同士を咬合させることができる。その結果、当該箱用シート１０は、一対の底外フラップ３が一対の底内フラップ４の外面側に折り重ねられてなる箱体２０の底部２２を容易に組み立てることができる。
【００３９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４０】
図８に示すように、当該箱用シート３０は、底内フラップ３４が、その基端縁に近接して基端縁と平行に延びる折り曲げ容易線３４ｂを有していてもよい。
【００４１】
上記第２部分は、例えば上記長さ面パネルの下縁と平行に延びていてもよい。また、上記第２部分は、連接方向他方側（谷折り線が配置されている側の反対側）に向けて上記長さ面パネルと離間するように傾斜した構成とすることも可能である。
【００４２】
上記切欠縁は、上述の凸部を有しない構成とすることも可能である。また、上記切欠縁は、上記第１部分、上記第２部分及び上記凸部以外の部分を含んで構成されていてもよい。
【００４３】
当該箱用シートにおいて、箱体の蓋部を形成するための具体的な構成は特に限定されるものではない。
【００４４】
当該箱用シートは、上記底外フラップと上記底内フラップを接着することを要するものではないが、使用者の嗜好等に応じて、上記底外フラップと上記底内フラップとを接着することは可能である。
【産業上の利用可能性】
【００４５】
以上のように、本発明の一態様に係る箱用シートは、箱体の底部の組み立て容易化を図るのに適している。
【符号の説明】
【００４６】
１  長さ面パネル
１ａ  下縁
２  幅面パネル
３  底外フラップ
３ａ  谷折り線
３ｂ  切欠縁
４、３４  底内フラップ
４ａ  側縁
５  蓋外フラップ
６  蓋内フラップ
７  継代
１０、３０  箱用シート
１１  第１部分
１２  第２部分
１３  切込み
１４  凸部
２０  箱体
２１  四角筒状部
２２  底部
３４ｂ  折り曲げ容易線
１００  封函テープ
α  長さ面パネルの下縁に対する谷折り線の角度
β  長さ面パネルの下縁に対する第１部分の角度
【要約】
【課題】本発明は、箱体の底部の組み立て容易化を図ることが可能な箱用シートを提供することを目的とする。
【解決手段】本発明の一態様に係る箱用シートは、左右方向に交互に連接される一対の長さ面パネル及び一対の幅面パネルと、一対の長さ面パネルの下縁から延出する一対の底外フラップと、一対の幅面パネルの下縁から延出する一対の底内フラップとを備え、一対の底外フラップに、連接方向一方側の基端側の角部から幅方向の内側に傾斜して先端縁に延びる谷折り線が設けられており、一対の底外フラップの谷折り線よりも連接方向他方側の先端縁に切欠縁が設けられており、切欠縁が、底外フラップの先端側から基端側に向けて連接方向一方側に傾斜して延びる第１部分と、第１部分の先端に連続して設けられ、連接方向他方側に延びる第２部分とによって画定される切込みを有しており、一対の底外フラップの切込み同士が咬合し、箱体の底部が組み立てられる。
【選択図】図１【図１】
0006974649.tif 000002
【図２】
0006974649.tif 000003
【図３】
0006974649.tif 000004
【図４】
0006974649.tif 000005
【図５】
0006974649.tif 000006
【図６】
0006974649.tif 000007
【図７】
0006974649.tif 000008
【図８】
0006974649.tif 000009